(57)【要約】      （修正有）【課題】内部の茶湯を湯飲み等へ最後までスムーズに供給することができる急須を提供する。【解決手段】お湯と茶葉とを収納して抽出させる収納部１５と、収納部１５の側面に配設された第１の注ぎ口１６と、収納部１５の側面の第１の注ぎ口１６配設位置のほぼ対向位置に配設された第２の注ぎ口１８と、収納部１５内壁と第１の注ぎ口１６との見切り部に設けられた液体成分のみを通過させる第１の茶漉し部１７と、収納部１５内壁と第２の注ぎ口１８との見切り部に設けられた第２の茶漉し部１９と、取っ手部とを備えることを特徴とする両口急須とする。【選択図】図１
0003130920.tif 000002
【実用新案登録請求の範囲】
【請求項１】
抽出飲料の材料となる液体成分と抽出原料成分とを収納して抽出可能な上部が開口されている収納部と、
前記収納部の側面に配設された第１の注ぎ口と、
前記収納部の側面の前記第１の注ぎ口配設位置のほぼ対向位置に配設された第２の注ぎ口と、
前記収納部内壁と前記第１の注ぎ口との見切り部に設けられた液体成分のみを通過させる第１のフィルター部と、
前記収納部内壁と前記第２の注ぎ口との見切り部に設けられた液体成分のみを通過させる第２のフィルター部と、
前記収納部の開口部を塞ぐ蓋部を備えることを特徴とする両口急須。
【請求項２】
前記収納部を前記第１の注ぎ口が下方になるように傾け可能となると共に、前記第２の注ぎ口が下方になるように傾け可能となるように、収納部の前記第１の注ぎ口配設位置と前記第２の注ぎ口配設位置のほぼ中間の位置に容器を保持する取っ手部を備え、
前記第１の注ぎ口及び第２の注ぎ口は鶴首型形状で前記第２の注ぎ口は前記第１の注ぎ口より小さく前記第１の注ぎ口より前記収納部の上部に配設されていることを特徴とする請求項１記載の両口急須。
【請求項３】
前記収納部を前記第１の注ぎ口が下方になるように傾け可能となると共に、前記第２の注ぎ口が下方になるように傾け可能となるように、収納部の前記第１の注ぎ口配設位置と前記第２の注ぎ口配設位置のほぼ中間の位置に容器を保持する取っ手部を備え、
前記第１の注ぎ口及び第２の注ぎ口の少なくとも一方は鶴首型形状で他方は先端開口部がほぼ三角形の嘴型形状であり、前記第２の注ぎ口は前記第１の注ぎ口より小さく前記第１の注ぎ口より前記収納部の上部に配設されていることを特徴とする請求項１記載の両口急須。
【請求項４】
前記第１の注ぎ口及び第２の注ぎ口は共に先端開口部がほぼ三角形の嘴型形状であり、前記第２の注ぎ口は前記第１の注ぎ口より小さく前記第１の注ぎ口より前記収納部の上部に配設されていることを特徴とする請求項１記載の両口急須。
【考案の詳細な説明】
【技術分野】
【０００１】
本考案は、相対する両側面に注ぎ口を有する両口急須に関するものである。
【背景技術】
【０００２】
お茶を抽出する従来の急須は、注入口から湯飲みなどに注いだ茶の中に茶葉が混じらないように、胴体内部と注ぎ口 の接合部に、金網等の茶漉しが設けられていた。そのような茶漉しは、平板状であったり、茶の供給をスムーズにするため凸部を設けて表面積を広げたものであった。
【０００３】
更に、特許文献１では、急須本体に設けられた茶漉し通湯孔とは別に、急須本体の内部に孔の開いた茶漉し補助板を設けていた。
【特許文献１】特開２００４−１１３５４３号公報
【考案の開示】
【考案が解決しようとする課題】
【０００４】
しかしながら、従来の茶漉しは、いずれも急須に湯を注いで一旦茶葉を開かせてしまうと、湯飲み等へ茶を注ごうとして急須 を傾けたときに、茶葉が板状の金網に密着して網の目を塞ぎ、急須内部から注ぎ口への茶の流れを悪くしてしまうので、最後までスムーズに湯飲み等へ供給し難くなる欠点を有していた。
【０００５】
係る点を解決するために、茶漉しを波状に形成し、茶葉が密着しないようにする急須もあったが、茶漉しを波状にすることによりある程度の茶葉の密着は防げるが、やはり途中で茶の出が悪くなり、最後まで注ぎ出すことは難しかった。
【０００６】
更に、特許文献１の急須は、茶漉し補助板の左側（注ぎ口と反対側）に茶葉を入れ無ければ効果が無く、茶漉し補助板の高さが高ければ茶葉が入れにくく、茶漉し補助板を低くすれば湯を少し多めに入れるともはや茶葉の移動を制限することができなくなり、使いにくいものであった。また、茶漉し補助板は壊れやすく、使っているうちに欠けて機能を果たさなくなる可能性が高かった。
【課題を解決するための手段】
【０００７】
本考案は、上記課題を解決することを目的としてなされたもので、係る目的を解決する一手段として例えば以下の構成を備える。
【０００８】
即ち、抽出飲料の材料となる液体成分と抽出原料成分とを収納して抽出可能な上部が開口されている収納部と、前記収納部の側面に配設された第１の注ぎ口と、前記収納部の側面の前記第１の注ぎ口配設位置のほぼ対向位置に配設された第２の注ぎ口と、前記収納部内壁と前記第１の注ぎ口との見切り部に設けられた液体成分のみを通過させる第１のフィルター部と、前記収納部内壁と前記第２の注ぎ口との見切り部に設けられた液体成分のみを通過させる第２のフィルター部と、前記収納部の開口部を塞ぐ蓋部を備えることを特徴とする。
【０００９】
そして例えば、前記収納部を前記第１の注ぎ口が下方になるように傾け可能となると共に、前記第２の注ぎ口が下方になるように傾け可能となるように、収納部の前記第１の注ぎ口配設位置と前記第２の注ぎ口配設位置のほぼ中間の位置に容器を保持する取っ手部を備え、前記第１の注ぎ口及び第２の注ぎ口は鶴首型形状で前記第２の注ぎ口は前記第１の注ぎ口より小さく前記第１の注ぎ口より前記収納部の上部に配設されていることを特徴とする。
【００１０】
また例えば、前記収納部を前記第１の注ぎ口が下方になるように傾け可能となると共に、前記第２の注ぎ口が下方になるように傾け可能となるように、収納部の前記第１の注ぎ口配設位置と前記第２の注ぎ口配設位置のほぼ中間の位置に容器を保持する取っ手部を備え、前記第１の注ぎ口及び第２の注ぎ口の少なくとも一方は鶴首型形状で他方は先端開口部がほぼ三角形の嘴型形状であり、前記第２の注ぎ口は前記第１の注ぎ口より小さく前記第１の注ぎ口より前記収納部の上部に配設されていることを特徴とする。
【００１１】
更に例えば、前記第１の注ぎ口及び第２の注ぎ口は共に先端開口部がほぼ三角形の嘴型形状であり、前記第２の注ぎ口は前記第１の注ぎ口より小さく前記第１の注ぎ口より前記収納部の上部に配設されていることを特徴とする。
【考案の効果】
【００１２】
本考案によれば、お茶等の抽出飲料を注ぐ際に、一方の注ぎ口に茶葉などがつまり気味となって最後まで注ぎ出せない状態になっても、他方の注ぎ口よりお茶を注ぎ出すことができ、確実に中の飲料を注ぎ出すことができる。
【考案を実施するための最良の形態】
【００１３】
以下、本考案に係る一考案の実施の形態例を詳細に説明する。以下の説明は、飲料抽出容器を緑茶葉よりお茶を抽出可能な急須に適用した例を説明する。しかし、本考案は茶葉よりお茶を抽出する急須に限定されるものではなく、紅茶を抽出する紅茶ポットであっても良く、インドネシアや中近東で利用されているような容器内に直接珈琲を入れて抽出するコーヒー抽出容器であっても良い。容器内に収納される抽出原料に限定されるものではなく、抽出期間も短時間に限定されるものではなく、一昼夜あるいはそれ以上にわたるものであってもよい。
【００１４】
なお、以下の急須は、陶磁器で形成されている例を説明する。しかし、金属製であっても、ガラス製であっても、プラスチック製であっても良く、構成材料に限定はない。
〔第１の実施の形態例〕
【００１５】
以下図面を参照して本考案に係る第１の実施の形態例を説明する。図１は本考案に係る一考案の実施の形態例の構造を説明するための断面図、第２図は本実施の形態例の上面図である。本実施の形態例は注ぎ口先端の開口部が円形形状の急須である。
【００１６】
図１、２において、１０は飲料抽出容器である急須本体、１２は急須本体の上部開口部、１３は取っ手、１５は茶葉及び湯を収納してお茶を抽出する急須本体の収納部、１６は収納部の壁面一方に配設された第１の注ぎ口であり、先端開口部がやや大径の円形状で注ぎ口全体がほぼ鶴首状に形成されている。１７は第１の注ぎ口１６と収納部１５内壁との見切り部（境界部）に設けられた飲料液体（お茶）のみを通過させるフィルター機能を有する第１の茶漉し部である。
【００１７】
また、１８は急須本体１０の第１の注ぎ口１６のほぼ対向する対面位置（急須の反対側側面）に配設された全体的に第１の注ぎ口よりやや小型に形成された第２の注ぎ口であり、先端開口部が第１の注ぎ口１６よりも小径の円形状で注ぎ口全体も小型のほぼ鶴首状に形成されている。１９は第２の注ぎ口１８と収納部１５内壁との見切り部（境界部）に設けられた飲料成分（お茶）のみを通過させるフィルター機能を有する第２の茶漉し部である。
【００１８】
本実施の形態例では、第１の注ぎ口１６の見切り部は、収納部１５の一方側面のかなり大きな部分を占めており、大量のお茶を注ぎ出すことができる。この様に、第１の注ぎ口１６は、従来の急須に設けられていた注ぎ口とほぼ同様の構成でよい。
【００１９】
これに対して第２の注ぎ口１８は、見切り部が第１の注ぎ口１６よりかなり小面積で、第１の注ぎ口１６より開口部１２に近接して収納内壁上部に設けられている。これは、第２の注ぎ口１８が第１の注ぎ口１６から抽出しきれなかった残りのお茶を注ぎ出すことを目的としているからであり、茶葉が収納部１５の底部に沈んでいる場合にも第２の茶漉し部１９に茶葉が張り付かないようにするためである。
【００２０】
しかも、第１の注ぎ口１６の反対側に設けられているため、第１の茶漉し部１７に茶葉が張り付いていても、第２の茶漉し部１９にはほとんど茶葉が張り付くことはない。この結果、第２の注ぎ口からお茶を出そうとした場合に、ほとんど茶葉に影響されずに収納部１５内のお茶を注ぎ出すことができる。
【００２１】
更に、第２の注ぎ口１８からお茶を注ぎだしている場合には、第１の茶漉し部１７は中に入っているお湯の上面、あるいはお湯より上に位置するため、張り付いた茶葉が自然に剥離しやすい状態となる。このため、仮に第２の注ぎ口１８からのお茶の出が悪くなるようなことがあっても、再び第１の注ぎ口１６からお茶を出そうとした場合に、自然にお茶が出やすい状態となっており、無理なく最後まで確実にお茶を注ぐことができる。
【００２２】
本実施の形態例では、第１の茶漉し部１７及び第２の茶漉し部１９は、急須本体と同材料でほぼ球形に収納部方向に湾曲し、全体に茶葉が通過しない小径の孔を多数設けた形状である。
【００２３】
しかし、以上の構成に限定されるものではなく、金属製で網状のほぼ半球状に形成し、収納部１５側より第１の注ぎ口１６内及び第２の注ぎ口１８内に嵌め込む構成であっても良い。第１の注ぎ口１６及び第２の注ぎ口１８と収納部１５との境界部分に、第１の注ぎ口１６及び第２の注ぎ口１８を完全に覆うような平板状あるいは波状、弓状の茶漉し板を取り付けても良い。
【００２４】
また、１１は開口部１２に対応した蓋部であり、収納部１５内に茶葉と湯を入れた後に収納部１５に蓋をして収納部１５内と外気と遮断し、抽出をスムーズに行えるようになっている。
【００２５】
更に、取っ手１３は、第１の注ぎ口１６配設位置と第２の注ぎ口１８の配設位置のほぼ中間位置に設けられており、図２の例では急須本体１０の両注ぎ口１６，１８のほぼ中間の側面位置に設けられている。このため、取っ手１３をもって急須１０を第１の注ぎ口１６を下方に傾けて第１の注ぎ口より茶を注ぐことが容易にできると共に、第２の注ぎ口１８を下方に傾けて第２の注ぎ口１８からも茶を注ぐことが可能なように構成されている。
【００２６】
なお、この取っ手１３は、急須外壁側面より外方に延出した形状に限定されるものではなく、収納部１５の上部両端近傍より上部に弓状に形成したものであってもよい。この場合には、第１の注ぎ口１６近傍及び第２の注ぎ口１８近傍を取っ手取り付け部とする。これにより、急須１０を第１の注ぎ口１６を下方に傾けて第１の注ぎ口より茶を注ぐことができると共に、第２の注ぎ口１８を下方に傾けて第２の注ぎ口１８からも茶を注ぐことができる。この場合は、弓状の部分を籐製、あるいは竹製、木製で形成し、基部を急須本体に回転自在に取り付けることが望ましい。
【００２７】
この場合には、取っ手は急須本体の上部に位置することになるが、見方を変えれば第１の注ぎ口１６と第２の注ぎ口１８の中間の位置に取っ手が設けられている状態であると言うことができる。
【００２８】
以上に説明したように本実施の形態例によれば、急須内に茶葉とお湯を入れて湯飲みなどにお茶を注ごうとした場合にも、第１の注ぎ口１６からお茶を注ぎ、お茶の出が悪くなっても、第１の注ぎ口１６に替えて第２の注ぎ口１８からお茶を注ぐだけで、急須内にあるお茶を残さずに注ぎ出すことができる。
【００２９】
この場合においても、従来の急須からお茶を注ぐ場合と全く同じような操作で最後まで残らずお茶を注ぐことができる。更に、急須内に茶葉を入れすぎた場合等、お茶が最後まで出きらずに残ったような場合であっても、単に反対側の注ぎ口からお茶を注ぐ動作を繰り返すのみで、急須内でお湯を回すなどの危険な操作を行うことなく、確実かつ簡単にお茶を最後まで飲みきることができる。
〔第２の実施の形態例〕
【００３０】
以上の説明は、第１の注ぎ口１６及び第２の注ぎ口１８をほぼ同じ形状に形成した場合を説明した。しかし、本考案は以上の例に限定されるものではなく、第１の注ぎ口と第２の注ぎ口とが異なる形状であっても良い。
【００３１】
第１の注ぎ口と第２の注ぎ口とが異なる形状である本考案に係る第２の実施の形態例を説明する。図３は本考案に係る第２の実施の形態例の構造を説明するための断面図、第４図は第２の実施の形態例の上面図である。
【００３２】
図３、図４において、１００は飲料抽出容器である第２の実施の形態例の急須本体、１２０は急須本体の上部開口部、１３０は取っ手、１５０は茶葉及び湯を収納してお茶を抽出する急須本体の収納部、１６０は収納部の壁面一方に配設された先端開口部の先端が円形状の第１の実施の形態例とほぼ同様構成の第１の注ぎ口部、１７０は第１の注ぎ口１６０と収納部１５０との見切り部（境界部）に設けられた第１の茶漉し部である。
【００３３】
また、１８０は急須本体１００の第１の注ぎ口１６０のほぼ対向する位置（急須の反対側側面）上端部近傍に配設された第２の注ぎ口部、１９０は第２の注ぎ口１８０と収納部１５０との見切り部（境界部）に設けられた第２の茶漉し部である。
【００３４】
また、１１０は開口部１２０に対応した蓋部であり、収納部１５０内に茶葉と湯を入れた後に収納部１５０に蓋をして収納部１５０内と外気と遮断し、抽出をスムーズに行えるようになっている。
【００３５】
第２の実施の形態例では、第１の注ぎ口１６０の見切り部は、図１に示す第１の注ぎ口１６同様に形成されるものでよく、収納部１５０の一方側面のかなり大きな部分を占めており、大量のお湯を注ぎ出すことができる。この様に、第１の注ぎ口１６０は、従来の急須に設けられていた注ぎ口とほぼ同様の構成でよい。
【００３６】
これに対して第２の注ぎ口１８０は、収納部１５０の側壁上端部近傍の設けられており、見切り部（境界部）の第２の茶漉し部１９０の形状はほぼ三角形であり、第２の注ぎ口は上部に向かって扇状に開口した三角錐状嘴状（例えばジュウシマツの嘴など）に形成されており、収納部１５０内の底部に沈んだ、あるいは第１の茶漉し部１６０に張り付いた茶葉の影響を最小限に抑え得る様に構成されている。
【００３７】
このため、第２の注ぎ口１８０からお茶を注ぐ場合には、急須１００をかなり大きく傾ける必要があり、第１の注ぎ口１６０の第１の茶漉し部１７０に付着した茶葉が、大きく剥がれ落ちることが期待できる。このため、仮に第２の注ぎ口１８０からのお茶の出が悪くなるようなことがあっても、再び第１の注ぎ口１６０からお茶を出そうとした場合に、自然にお茶が出やすい状態となっており、無理なく最後まで確実にお茶を注ぐことができる。
〔第３の実施の形態例〕
【００３８】
以上の説明は、急須を傾けるための取っ手が設けられている例について説明した。しかしながら、茶葉によっては玉露などの様に比較的低温で抽出する茶葉を用いる場合には、取っ手ではなく、直接急須本体を手でもってお茶を抽出した方がより繊細にお茶を入れることが可能である。
【００３９】
取っ手を備えない本考案に係る第３の実施の形態例を説明する。図５は本考案に係る第３の実施の形態例の構造を説明するための断面図、第６図は第３の実施の形態例の上面図である。
【００４０】
図５、図６において、２００は飲料抽出容器である第３の実施の形態例の急須本体、２２０は急須本体の上部開口部、２５０は茶葉及び湯を収納してお茶を抽出する急須本体の収納部、２６０は収納部の壁面一方に配設された上部に向かって扇状に開口した三角錐状嘴状（例えばジュウシマツの嘴など）に形成された、ほぼ第２の実施の形態例の第２の注ぎ口１８０を大型化した形状の第１の注ぎ口部、２７０は第１の注ぎ口２６０と収納部２５０との見切り部（境界部）に設けられたほぼ三角形状の第１の茶漉し部である。
【００４１】
また、２８０は急須本体２００の第１の注ぎ口２６０のほぼ対向する位置（急須の反対側側面）上端部近傍に配設された第１の注ぎ口２６０より全体的にやや小型化された第２の注ぎ口部、２９０は第２の注ぎ口２８０と収納部２５０との見切り部（境界部）に設けられた第２の茶漉し部である。
【００４２】
また、２１０は開口部２２０に対応した蓋部であり、収納部２５０内に茶葉と湯を入れた後に収納部２５０に蓋をして収納部２５０内と外気と遮断し、抽出をスムーズに行えるようになっている。
【００４３】
第３の実施の形態例では、第１の注ぎ口２６０の見切り部は、収納部２５０の一方側面のかなり大きな部分を占めており、大量のお湯を注ぎ出すことができる。この場合においても、急須本体２００を直接手でつかむことにより、茶の出し加減をきめ細かに制御できる。このため、不用意に茶葉が注ぎ口から出てしまうことを簡単に防ぐことができると共に、お茶の出を容易に加減でき、例え湯飲みが小さい場合であっても、確実に湯飲みの中にお茶を注ぐことができ、かつあふれ出るようなことが無いように制御できる。
【００４４】
更に、第２の注ぎ口２８０は、収納部２５０の側壁上端部近傍の設けられており、上部に向かって扇状に開口した三角錐型の嘴状（例えばジュウシマツの嘴など）に形成されていることから、収納部２５０の下側に沈んだ茶葉の影響を最小限に抑え得る様に構成されている。更に、手で直接急須を持てることから、お茶の出を自由に制御することが容易で、第２の注ぎ口２８０から勢いよくお茶が出てこぼしてしまうようなこともなく、確実に湯飲みなどに注ぐことができる。
【００４５】
以上説明した実施の形態例によれば、急須内の茶を、最後までスムーズに湯飲み等へ供給することができる。しかも全体の構成、茶漉し部の形状も特別複雑にする必要が無く、シンプルであるため、形成が容易であるメリットも見逃せない。更に急須から湯飲みなどにお茶を注ぐ場合においても、今まで慣れ親しんだ操作と何ら変わることが無く、とまどうようなこともない。
【図面の簡単な説明】
【００４６】
【図１】本考案に係る一考案の実施の形態例の急須を説明するための断面図である。
【図２】本実施の形態例の急須の外観を説明するための上面図である。
【００４７】
【図３】本考案に係る第２の実施の形態例の急須を説明するための断面図である。
【図４】第２の実施の形態例の急須の外観を説明するための上面図である。
【００４８】
【図５】本考案に係る第３の実施の形態例の急須を説明するための断面図である。
【図６】第３の実施の形態例の急須の外観を説明するための上面図である。
【符号の説明】
【００４９】
１０、１００、２００    飲料抽出容器である急須本体
１１，１１０、２１０  蓋部
１２    急須本体の上部開口部
１３、１３０  取っ手
１５、１５０、２５０  急須本体の収納部
１６、１６０、２６０  第１の注ぎ口部
１７、１７０、２７０  第１の茶漉し部
１８、１８０、２８０  第２の注ぎ口部
１９、１９０、２９０  第２の茶漉し部
【図１】
0003130920.tif 000003
【図２】
0003130920.tif 000004
【図３】
0003130920.tif 000005
【図４】
0003130920.tif 000006
【図５】
0003130920.tif 000007
【図６】
0003130920.tif 000008